(57)【要約】【課題】カバーリング全体の構造強度に影響を与えることなく、偏心軸、カバーリング、回転渦巻間に正常な潤滑効果を与える渦巻式コンプレッサーのカバーリング構造を提供する。【解決手段】渦巻式コンプレッサーのカバーリング構造は、カバーリングを回転渦巻の盤心に被せ、回転渦巻と偏心軸を連結する。また偏心軸の桿体は注油孔道を貫通する。コンプレッサーが始動すると、潤滑油が注油孔道から偏心軸の軸端に対応して流れ、偏心軸、カバーリング、回転渦巻間に潤滑作用をもたらす。カバーリングの最上面には、カバーリング全体が受けるカの小さい角度位置に、欠切口が成形され、その欠切口底部は内から外に向けて低い傾斜の傾斜切面がある。カバーリングが最上面まで上がり、回転渦巻の盤体に貼りついた時、潤滑油が欠切口から流れ出し、傾斜切面に沿ってスムーズにカバーリングと回転渦巻間の隙間に流入し、偏心軸、カバーリング、回転渦巻間に正常な潤滑効果を与える。【選択図】図１
0003097209.tif 000002
【実用新案登録請求の範囲】
【請求項１】
渦巻式コンプレッサーのカバーリング構造は、カバーリングを回転渦巻の盤心に被せ、回転渦巻と偏心軸を連結するもので、また偏心軸の桿体は注油孔道を貫通し、コンプレッサーが始動すると、潤滑油が注油孔道から偏心軸の軸端に対応して流れ、偏心軸、カバーリング、回転渦巻間に潤滑作用をもたらすもので、
カバーリングの最上面には、カバーリング全体が受ける力の小さい角度位置に欠切口が成形され、その欠切口の底部は内から外に向けて低い傾斜の傾斜切面があり、カバーリングが最上面まで上がり、回転渦巻の盤体に貼りついた時、潤滑油が欠切口から流れ出し、傾斜切面に沿ってスムーズにカバーリングと回転渦巻間の隙間に流入し、偏心軸、カバーリング、回転渦巻間に正常な潤滑効果を与えることを特徴とする渦巻式コンプレッサーのカバーリング構造。
【請求項２】
前記傾斜切面は、カバーリング外円からカバーリング最上面の内円まで直接伸び、カバーリングの最上面には前述の欠切口が成形され、潤滑油が流れ、更にカバーリング全体の構造強度に影響を与えないことを特徴とする請求項１記載の渦巻式コンプレッサーのカバーリング構造。
【考案の詳細な説明】
【０００１】
【考案の属する技術分野】
本考案は、渦巻式コンプレッサーのカバーリング構造に関するもので、カバーリング全体の構造強度に影響を与えることなく、偏心軸、カバーリング、回転渦巻間に正常な潤滑効果を与えるものである。
【０００２】
【従来の技術】
一般の渦巻式コンプレッサーの動作原理は、主に駆動部品によって回転渦巻が動き、固定渦巻内部で正回転し、自転回転運動はしない。固定渦巻と回転渦巻間の容積空間を変えることによって、低温低圧の冷媒を圧縮して高温高圧の状態する。そして出口からシステム冷媒管内へ流れ、冷媒を冷媒管とコンプレッサー間で循環させることとによって、熱交換の動作が進む。
また、この回転渦巻は固定渦巻の内部で正回転をし、自転ではない回転方式であるため、コンプレッサーの構造は図１に示すとおり、回転渦巻Ａ２を偏心軸Ａ１に定置し、回転渦巻Ａ２が偏心軸の作用によって固定渦巻Ａ３内で回転する。
更に別にカバーリングＡ４を回転渦巻Ａ２の盤心箇所に被せ、そして偏心軸Ａ１をカバーリングＡ４のリング中心箇所に嵌めこむ。それによって回転渦巻Ａ２と偏心軸Ａ１が連結され、回転渦巻Ａ２が定置される。
この他、コンプレッサーを運転する為に、偏心軸Ａ１、カバーリングＡ４及び回転渦巻Ａ２には潤滑作用が備えられている。その偏心軸Ａ１の桿体が注油孔道Ａ１１を貫通し、コンプレッサーが運転すると、潤滑油が注油孔道Ａ１１から偏心軸Ａ１の軸端に対応して流出し、偏心軸Ａ１、カバーリングＡ４、回転渦巻Ａ２間が滑らかになる。
【０００３】
【考案が解決しようとする課題】
しかしながら、この種の渦巻式コンプレッサーのカバーリング構造は、実際に運転している時には、カバーリングＡ４は常に圧力作用によって最上面まで浮き上がり、回転渦巻Ａ２の盤体に相互に貼りついた状態になる。このため潤滑油はカバーリングまで届かず、オイルの流れ道は塞がれる。
【０００４】
本考案の目的は渦巻式コンプレッサーのカバーリング構造を提案することにある。
また、本考案の別の目的は、偏心軸、カバーリング、回転渦巻間に正常な潤滑効果を維持する渦巻式コンプレッサーのカバーリング構造を提案することにある。更に潤滑油が流れ出し、且つカバーリング全体の構造強度に影響を与えない渦
巻式コンプレッサーのカバーリング構造を提案することにある。
【０００５】
【課題を解決するための手段】
上記課題を解決するために、本考案の請求項１記載の渦巻式コンプレッサーのカバーリング構造は、カバーリングを回転渦巻の盤心に被せ、回転渦巻と偏心軸を連結するもので、また偏心軸の桿体は注油孔道を貫通し、コンプレッサーが始動すると、潤滑油が注油孔道から偏心軸の軸端に対応して流れ、偏心軸、カバーリング、回転渦巻間に潤滑作用をもたらすもので、
カバーリングの最上面には、カバーリング全体が受ける力の小さい角度位置に欠切口が成形され、その欠切口の底部は内から外に向けて低い傾斜の傾斜切面があり、カバーリングが最上面まで上がり、回転渦巻の盤体に貼りついた時、潤滑油が欠切口から流れ出し、傾斜切面に沿ってスムーズにカバーリングと回転渦巻間の隙間に流入し、偏心軸、カバーリング、回転渦巻間に正常な潤滑効果を与えるであることを特徴とする。
【０００６】
本考案の請求項２記載の傾斜切面は、請求項１記載の傾斜切面であって、カバーリング外円からカバーリング最上面の内円まで直接伸び、カバーリングの最上面には前述の欠切口が成形され、潤滑油が流れ、更にカバーリング全体の構造強度に影響を与えないことを特徴とする。
【０００７】
【考案の実施の形態】
以下、本考案の実施例を図面に基づいて説明する。
図２，３，４に示すとおり、本考案のカバーリング２は、回転渦巻Ａ２の盤心に被せ、回転渦巻Ａ２と偏心軸１を連結する。その偏心軸１の桿体は注油孔道１１を貫通し、コンプレッサー運転時、潤滑油が注油孔道１１を通り、偏心軸１の軸端に対応して流出する。それによって、偏心軸１、カバーリング２、回転渦巻Ａ２間に潤滑作用が形成される。
【０００８】
本考案の重要点であるカバーリング２の最上面には、カバーリング２全体の受ける力が小さい角度位置に欠切口２１が成形される。この欠切口２１底部は、内から外に向けて低い傾斜の傾斜切面２２で、カバーリング２が上に浮き上がり、最上面と回転渦巻Ａ２の盤体が相互に貼りついた時、その潤滑油は欠切口２１から流出し、傾斜切面２２に沿ってカバーリング２と回転渦巻Ａ２の間を流れ、偏心軸１、カバーリング２、回転渦巻Ａ２間に正常な潤滑効果をもたらす。
【０００９】
更に図３，４及び５に示すとおり、このカバーリング２の傾斜切面２２は直接カバーリングの外円からカバーリング２最上面の内円まで伸び、更にカバーリング２の最上面には欠切口２１が形成される。その欠切口２１から潤滑油が流れ、且つ欠切口２１はカバーリング全体の構造強度に影響しない。
【００１０】
【考案の効果】
以上説明したように、本考案の渦巻式コンプレッサーのカバーリング構造は、カバーリングを回転渦巻の盤心に被せ、回転渦巻と偏心軸を連結する。また偏心軸の桿体は注油孔道を貫通する。コンプレッサーが始動すると、潤滑油が注油孔道から偏心軸の軸端に対応して流れ、偏心軸、カバーリング、回転渦巻問に潤滑作用をもたらす。カバーリングの最上面には、カバーリング全体が受ける力の小さい角度位置に、欠切口が成形され、その欠切口底部は内から外に向けて低い傾斜の傾斜切面がある。カバーリングが最上面まで上がり、回転渦巻の盤体に貼りついた時、潤滑油が欠切口から流れ出し、傾斜切面に沿ってスムーズにカバーリングと回転渦巻間の隙間に流入し、偏心軸、カバーリング、回転渦巻間に正常な潤滑効果を与えるという特徴をもつ。それにより、カバーリング全体の構造強度に影響を与えることなく、偏心軸、カバーリング、回転渦巻間に正常な潤滑効果を与えるのに有効である。
【図面の簡単な説明】
【図１】公知のコンプレッサーの回転渦巻と偏心軸配置状態指示図である。
【図２】本考案に関するカバーリングと回転渦巻、偏心軸間の使用状態指示図である。
【図３】本考案に関するカバーリングと回転渦巻、偏心軸問の配置状態図である。
【図４】本考案に関するカバーリングと回転渦巻、偏心軸間の構造分解図である。
【図５】本考案に関するカバーリングと回転渦巻、偏心軸間の別の構造分解図である。
【符号の説明】
Ａ１　偏心軸
Ａ１１　注油孔道
Ａ２　回転渦巻
Ａ３　固定渦巻
Ａ４　カバーリング
１　偏心軸
１１　注油孔道
２　欠切口
２２　傾斜切面
【図１】
0003097209.tif 000003
【図２】
0003097209.tif 000004
【図３】
0003097209.tif 000005
【図４】
0003097209.tif 000006
【図５】
0003097209.tif 000007